(57)【要約】捕虫器は、吸込口と排出口とを有した筐体を備えている。また、筐体内には、風路と回転体と送風装置とを備えている。吸込口は、室内の気体を筐体内に導入するものである。排出口は、筐体内に流入した気体を筐体外へ排出するものである。風路は、吸込口から排出口へ気体が流すものである。送風装置は、風路内に吸込口から排出口へ向かう気流を発生させるものである。回転体は、回転モーターの軸に取り付けられている。風路内で、回転体は、回転モーターの回転と連動して回転することができる。また、吸込口には捕集体が備えてあり、捕集体は回転体の上流側に配置されている。捕集体は、回転体の動きが視認できる透過性を有しているので、回転体は、吸気口の外側から少なくとも一部が視認できる。また、捕集体は、飛来した飛翔性昆虫を捕捉する捕集性を有している。回転体と捕集体の色の明度は、少なくとも一方が５以下としている。
2020021892.tif 000002
【特許請求の範囲】
【請求項１】
室内の気体を筐体内に導入する吸込口と、流入した気体を筐体外へ排出する排出口と、吸込口から排出口へ気体が流れる風路と、前記風路の内に吸込口から排出口へ向かう気流を発生させる送風装置とを備えており、
回転モーターの軸に取り付けられ、モーターの回転と連動して風路内で回転し、前記吸込口の外側から少なくとも一部が視認できる回転体と、
前記回転体の上流側に配置され、該回転体の動きが視認できる透過性を有し、かつ飛来した飛翔性昆虫を捕捉する捕集性を持つ捕集体とを備えてなり、
前記回転体と捕集体の色の明度は、少なくとも一方が５以下であることを特徴とする捕虫器。
【請求項２】
前記回転体がプロペラ形状であり、送風装置を兼ねていることを特徴とする請求項１記載の捕虫器。
【請求項３】
前記捕集体の上流側の風速が１ｍ／秒以上であることを特徴とする請求項１に記載の捕虫器。
【請求項４】
前記捕集体に殺虫成分を含有または担持していることを特徴とする請求項１に記載の捕虫器。
【請求項５】
前記捕集体が略垂直に配置され、前記捕集体の下方に前記飛翔性昆虫を回収する回収部を備えていることを特徴とする請求項１に記載の捕虫器。
【請求項６】
前記吸込口の近傍に前記飛翔性昆虫を誘引するガス状物質を発生させるガス状物質発生部を備えていることを特徴とする請求項１に記載の捕虫器。
【請求項７】
前記ガス状物質発生部は電磁弁を備え、前記ガス状物質を間欠的に発生させることを特徴とする請求項６記載の捕虫器。
【発明の詳細な説明】
【技術分野】
【０００１】
本発明は伝染病を媒介する蚊などの飛翔昆虫を除去する捕虫器に関するものである。
【背景技術】
【０００２】
従来から、蚊などの飛翔性昆虫を誘引して除去する捕虫器が市販されている。その誘引手段には様々な方式が提案されている。なかでも、蚊が黒色を代表とする暗色に集まる習性を利用し、本体や本体の一部、吸引部分などを暗色に塗装した装置が知られている。【０００３】
図９に示す捕虫機能を有した送風機は、蚊などの飛翔性昆虫を捕集するものである。筐体１０３には、吸込口１０１と吹出口１０２を備えている。筐体１０３内には、送風ファン１０４と、濾過フィルタ１０５とを備えている。送風ファン１０４は、吸込口１０１から吸気し、吹出口１０２から排気するものである。濾過フィルタ１０５は、吸込口１０１から吸い込まれた空気を濾過するものである。【０００４】
この送風機では、筐体１０３を黒色としていた。筐体１０３内において、吸込口１０１の内側の通気経路には、誘引部として近紫外光を発する光源１０８を設けていた。そして、吸込口１０１と濾過フィルタ１０５間の通気経路に虫を捕獲する捕虫部１０７を設けていた（例えば特許文献１参照）。【０００５】
また、蚊を誘引して屋外へ排出する装置もあった。【０００６】
図１０に示すように、吸込口付近に蚊を誘引するための光源を備えた換気装置が知られている。【０００７】
すなわち、このような換気装置は、内部の風路内にモーター２０３とファン２０４を備えていた。内部風路につながる吸込口２０１には誘引部２０２として光源を備えていた。光源の作用で吸込口２０１に蚊を引き寄せて、風路内のモーター２０３とファン２０４を用いて発生させた気流で、近づいた蚊を本体内に吸込み、排出するものであった（例えば特許文献２参照）。
【先行技術文献】
【特許文献】
【０００８】
【特許文献１】特開２０１７−１４００４５号公報
【特許文献２】特開平１０−２２７５０３号公報
【発明の概要】
【０００９】
従来の装置では、装置近傍へ飛翔性昆虫を誘引することは可能であったが、捕集部に捕集されずに、吸引力の弱い部分に留まるものも多く、誘引された昆虫が捕集されずに再び飛散するという課題があった。
【００１０】
また、同室内に暗色の物質や、人や動物などの体温を持った生物が存在すると、昆虫がそちらに誘引されて捕集効果が低減するという課題があった。
【００１１】
また、誘引部に光源を設けることは、蛾や、蝿の一種であるユスリカのような飛翔性昆虫を誘引することは可能であるが、室内でヒトから吸血し、感染症の媒介なども行う蚊を誘引・除去することまではできないという課題を有していた。
【００１２】
本発明は、上記従来の課題を解決するものである。すなわち、吸血要求の高い蚊などの飛翔昆虫を誘引し、捕集する捕虫器を提供することを目的としている。
【００１３】
本発明は、感染症の原因となるウィルスを媒介し、人への有害性の高い蚊などの飛翔性昆虫を室内から除去する捕虫器を提供するものである。
【００１４】
捕虫器は、吸込口と排出口とを有した筐体を備えている。また、筐体内には、風路と回転体と送風装置とを備えている。
【００１５】
吸込口は、室内の気体を筐体内に導入するものである。排出口は、筐体内に流入した気体を筐体外へ排出するものである。風路は、吸込口から排出口へ気体を流すものである。送風装置は、風路内に吸込口から排出口へ向かう気流を発生させるものである。回転体は、回転モーターの軸に取り付けられている。風路内で、回転体は、回転モーターの回転と連動して回転することができる。また、吸込口には捕集体が備えてあり、捕集体は回転体の上流側に配置されている。捕集体は、回転体の動きが視認できる透過性を有しているので、回転体は、吸気口の外側から少なくとも一部が視認できる。また、捕集体は、飛来した飛翔性昆虫を捕捉する捕集性を有している。回転体と捕集体の色の明度は、少なくとも一方が５以下である。
【００１６】
これにより、明度が５以下の回転体または捕集体が暗い物体に止まる性質を持つ蚊などの飛翔性昆虫を捕虫器まで誘引することができる。更に、回転体の動きが、特に動物への吸血要求欲求が高い蚊などの飛翔昆虫を効果的に誘引することができる。そして、吸込口から排出口へ流れる気流と共に、回転体に接近した飛翔性昆虫を吸引することができるので、捕集体で飛翔性昆虫を捕集することができる。
【図面の簡単な説明】
【００１７】
【図１】図１は、第１の実施形態の捕虫器を示す側面断面図である。
【図２】図２は、第２の実施形態の捕虫器を示す側面断面図である。
【図３】図３は、第３の実施形態の捕虫器を示す側面断面図である。
【図４】図４は、第４、第５の実施形態の捕虫器を示す斜視図である。
【図５】図５は、第４、第５の実施形態の捕虫器を示す側面断面図である。
【図６】図６は、第６の実施形態の捕虫器を示す側面断面図である。
【図７】図７は、第７の実施形態の捕虫器を示す側面断面図である。
【図８】図８は、第７の実施形態の捕虫器を住宅に設置した際の概略図である。
【図９】図９は、従来の捕虫機能を備えた送風機を示す側面断面図である。
【図１０】図１０は、従来の蚊排出機能を備えた換気装置を示す側面断面図である。
【発明を実施するための形態】
【００１８】
以下では、本発明の実施形態に係る捕虫器について、図面を用いて詳細に説明する。
【００１９】
（第１の実施形態）
図１は本実施形態における捕虫器の図である。
【００２０】
本実施形態の捕虫器１は、図１のように、筐体２に吸込口３と排出口４を備えている。筐体２の内部には、風路５と回転体８と送風装置６とを備えている。吸込口３と排出口４は、筐体２において、風路５形成する壁面の端部がそれぞれ筐体２の表面で開口している部分をいう。吸込口３は室内の気体を筐体２内に導入するものである。排出口４は、流入した気体を筐体２外へ排出するものである。風路５は、吸込口３と排出口４を連通させている。送風装置６は風路５内において、吸込口３から排出口４へ向かう気流を発生させる。回転体８は、回転モーター７の軸に取り付けられて、回転モーター７の回転と連動して回転する。風路５には、回転体８の上流側に捕集体９が備えられている。捕集体９の捕虫面１４は、水平にしている。風路５内では、気体が流れる方向において上流側から、捕集体９、回転体８、送風装置６の順番に配置されている。
【００２１】
捕集体９は、透過性のある樹脂や金属などの繊維が規則的あるいはランダムに絡んだ構造体である。一例として、網やネット、不織布が挙げられる。網やネット、不織布を用いることで、捕集体９の上流側から下流側の回転体８が回転する様子を容易に視認できる構成とすることができる。加えて、捕集体９に飛来した飛翔性昆虫を下流側へ通過せずに捕捉する捕集性を持たせることができる。
【００２２】
これらの透過性と捕集性の特性を両立するために、具体的には、捕集体９を形成する繊維は繊維径が１ｍｍ以下であることが好ましい。より好ましくは繊維径を０．５ｍｍ以下とすることである。また、捕集体９内で繊維同士が絡み合って重なることによって形成される開口は、繊維間の距離が最も長い部分において、１．５ｍｍ以下であることが好ましい。これにより、飛翔性昆虫、特に動物への吸血要求が高い蚊などの飛翔性昆虫を捕集することができる。例えば、網戸などに使用される格子状に樹脂繊維が配列した２０メッシュ程度のネットは、市販で安価に手に入りやすく、透過性も高いため、捕集体９として適している。
【００２３】
また、捕集体９は、その内部または表面に殺虫成分を含有または担持してもよい。捕集体９の表面に殺虫成分を担持させる方法には、浸漬、塗布、吹き付けといった方法がある。例えば、殺虫成分の溶液中に捕集体９を浸漬すればよい。また、刷毛などを用いて殺虫成分の溶液を捕集体９に塗布してもよい。スプレーで殺虫成分の溶液を捕集体９に吹き付けることもできる。その他、捕集体９を形成する繊維が樹脂であれば、樹脂繊維内部に殺虫成分を含有してもよい。樹脂繊維中に殺虫成分を含有させる方法としては、被覆する方法、原料樹脂と混合する方法がある。被覆する方法は、殺虫成分を含む芯材の周りに樹脂成分を被覆するものである。原料樹脂と混合する方法は、殺虫成分を原料樹脂と混合し繊維状に紡糸するものである。
【００２４】
殺虫成分としては、残効性の高いピレスロイド系が好ましい。例えば、ペルメトリン、フェノトリン、エトフェンプロックス、アレスリン等を用いることができる。これら殺虫成分により、捕集体９に捕捉された飛翔性昆虫を衰弱させることができるので、飛翔性昆虫の再飛散を抑制することができる。また、これら殺虫成分は、捕集体９に付与された後、殺虫効果を長期間持続させることができるので、メンテナンスの頻度を削減することができるという利点がある。
【００２５】
回転体８は、飛翔性昆虫が回転による動きを認識することのできる速度で回転している。具体的には、毎分１００回転から３０００回転程度であることが好ましい。１００回転以下であると、複眼を持つ蚊などの飛翔性昆虫には殆ど動いているように見えないので、好ましくない。また、３０００回転以上になると、回転による騒音が問題となるので、好ましくない。
【００２６】
回転体８の形状は、飛翔性昆虫が回転の動きを認識できればどのような形状でも効果に差異はないが、円盤形状が好ましい。回転体の動きがより視認しやすく、且つ送風による抵抗を小さくするために、回転体８にスリットや孔が設けられていることが好ましい。
【００２７】
また、捕集体９及び回転体８は黒色に着色している。色の三属性のひとつである明度は０から１０で表され、数字が小さいほど暗く、最も明るい白で９．５程度、最も暗い黒で１．０程度の数字で表される。本実施形態において、飛翔性昆虫を効果的に誘引するためには明度が５以下であることが好ましく、より好ましくは３以下である。一方、色の三属性のひとつである色相には特に制限はない。赤でも青でも明度が５以下であれば飛翔性昆虫を誘引する効果は発現する。そのなかで最も誘引効果の高い色は黒色である。尚、本実施の形態では、捕集体９と回転体８は、いずれも黒色に着色しているが、どちらか一方を黒色に着色していれば誘引効果を発現することが可能である。
【００２８】
送風装置６は、回転体８の下流に設置されており、吸込口３から排出口４へ向かう気流を発生させることができる。飛翔性昆虫は、回転体８の回転に引き寄せられて、吸込口３に接近する。その後、飛翔性昆虫は、吸込口３から排出口４へ向かう気流によって、吸い込まれ、捕集体９上に捕集される。捕集された飛翔性昆虫は、飛翔しようとするが、送風装置６による気流の影響を受けるため、捕集体９から飛び立つことはできず、室内に再度飛来することが抑制される。
【００２９】
送風装置６としては、回転体８に近づいた飛翔性昆虫を吸い込み、更に捕集体９から再度飛翔することができない程の気流を発生させる装置であればよい。具体的には、風速１ｍ／秒以上の風速を得られるものであれば、効果に差異はなく、送風用のファンや、エアーポンプなど、最適なものを選べば良い。
【００３０】
また、捕集体９は筐体２から着脱可能にして備えてもよい。これにより、捕集体９に捕集された飛翔性昆虫を容易に払落し、清掃することが可能である。
【００３１】
上記構成により、室内に侵入した飛翔性昆虫は、捕集体９及び回転体８をめがけて飛行する。すなわち、飛翔性昆虫を吸込口３付近まで誘引することができる。送風装置６による気流によって、誘引された飛翔性昆虫の飛行力を失わせることができるので、捕集体９で飛翔性昆虫を捕獲することができる。
【００３２】
（第２の実施形態）
図２は、本実施形態の捕虫器２１を示す側面断面図である。
【００３３】
本実施の形態では、送風装置６において、回転体８の役割を持たせた構成について説明をする。第１の実施形態と同じ構成要件には同一番号を付し、詳細な説明は省略する。
【００３４】
図２に示すように、捕虫器２１は、筐体２に吸込口３と排出口４を備えている。
【００３５】
筐体２の内部には、風路５と送風装置６とを備えている。吸込口３には、捕集体９を備えている。送風装置６は、風路５内に吸込口３から排出口４へ向かう気流を発生させるものである。風路５内には、気体が流れる方向において上流側から順番に、捕集体９、送風装置６が配置されている。
【００３６】
図２に示すように、捕虫器２１の送風装置６は、送風ファン２３を備えている。送風ファン２３は、回転モーター７にプロペラ形状の羽根２２が取り付けられたものである。羽根２２が回転することにより、風路５内に吸込口３から排出口４へ向かう気流を発生させることができる。
【００３７】
また、羽根２２は黒色に着色しているので、羽根２２が回転することで飛翔性昆虫を誘引する効果が得られる。これにより、実施の形態１のように回転体８と送風装置６を別々に設ける必要がなく、よりコンパクトな捕虫器２１を提供することができる。また、回転体８を備えた場合に比べて空気抵抗がない。すなわち、送風ファン２３がスムーズに風を流すことができるため、回転体８に替えて備えた羽根２２を回転させて誘引した飛翔性昆虫を捕集体９で効率的に捕集することができる。
【００３８】
送風ファン２３は飛翔性昆虫が羽根２２の動きを認識することのできる速度で回転している。具体的には、毎分１００回転から３０００回転の速度とすることが好ましい。
【００３９】
速度が１００回転以下であると、複眼を持つ蚊などの飛翔性昆虫には動いているように見ないので、誘引する効果が低い。また、１００回転以下の速度は、送風ファン２３の回転による気流が弱く、誘引した飛翔性昆虫を捕集体９に捕捉する圧力が小さいため、再飛翔させてしまう可能性が高い。また、速度が３０００回転以上になると回転による騒音が問題となる。
【００４０】
尚、飛翔性昆虫を効果的に誘引するためには、羽根２２の色は明度が５以下であることが好ましく、より好ましくは３以下である。色相には特に制限はなく、赤でも青であっても明度が５以下であれば、飛翔性昆虫を誘引する効果が発揮できる。最も誘引効果の高い色は黒色である。また、本実施の形態では捕集体９及び羽根２２のいずれも黒色に着色しているが、どちらか一方を黒色に着色していれば誘引効果を発揮することができる。
【００４１】
さて、送風ファン２３を用いて、近づいた飛翔性昆虫を吸い込むという構成を備えた場合、蚊の一部が羽根２２へ衝突してしまうことが懸念されていた。誘引された蚊の一部は、羽根２２と衝突するため送風ファン２３を通過できず、前面に弾き飛ばされて筐体２の周辺に死骸が散乱することや、送風ファン２３に死骸が付着したりすることがあった。しかし、本実施の形態のように捕集体９を送風装置６よりも上流側に備えることで、飛翔性昆虫の羽根２２への衝突を防止することができ、頻繁に掃除やメンテナンスを行うことは必要がなくなる。
【００４２】
（第３の実施形態）
飛翔性昆虫が捕集体９で捕らえたのちに、死骸となった飛翔性昆虫を回収するための回収箱３２を備えた実施形態について説明する。図３に本実施の形態の捕虫器３１を示す。第１の実施の形態、第２の実施形態と同じ構成要件には同一番号を付し詳細な説明およびその作用は省略する。
【００４３】
回収箱３２は、上側を開口した箱状の部品であり、捕虫器３１の筐体２の下部に配置している。
【００４４】
図３に示すように、捕虫器３１では、捕集体９の捕虫面１４を略垂直に配置している。そして、捕集体９の下方には回収箱３２を備えている。つまり、捕集体９の前面から鉛直下方向に落下した物体を受け止めることのできる位置に設置されている。
【００４５】
上記構成により、捕集体９で捕獲された飛翔性昆虫は、殺虫成分を嫌がり飛翔しようとする。飛翔性昆虫は、殺虫成分に触れて衰弱していることに加えて、送風装置６の排気流の影響を受けるため、ネットから飛び立つことができず、やがて回収箱３２内に落下する。このように捕集体９に捕集された飛翔性昆虫は、重力によって落下し、回収箱３２へと集められるために、捕集体９に捕集された飛翔性昆虫の死骸を都度清掃する必要がなく、メンテナンス性に優れた捕虫器を提供することができる。
【００４６】
（第４の実施形態）
図４は本実施形態の捕虫器を示す斜視図、図５は本実施形態の捕虫器の内部を示す側面断面図である。第３の実施形態の捕虫器３１に対して、本実施形態の捕虫器４１は、より具体的な実施形態である。なお、第１の実施の形態から第３の実施の形態と同じ構成要件には同一番号を付し詳細な説明は省略する。
【００４７】
図４に示すように、捕虫器４１は、筐体２と、本体パネル４３とから構成されている。本体パネル４３は筐体２の前面に備えている。
【００４８】
捕虫器３１と同様に、捕虫器４１は、図５に示すように部屋の壁面を貫通して取り付けられている。
【００４９】
筐体２には、吸込口３と、排出口４と、吸込口３から排出口４へ連通する風路５と、回転モーター７と回転モーター７の軸に取り付けられた羽根２２とを備えている。捕虫器４１の下部には回収箱３２を配置している。
【００５０】
吸込口３は部屋の室内側に、排出口４は室外側に配置されている。
【００５１】
回転モーター７と回転モーター７の軸に取り付けられた羽根２２は、運転時に室内側から室外側へと向かう空気流を形成するものである。羽根２２は全体が黒色の樹脂または金属からなる。
【００５２】
ルーバー４４は、捕虫器４１の前面において、筐体２の室内側を覆っている。本体パネル４３は、筐体２の前面側で捕虫器４１の吸込口３を形成している。本体パネル４３の上流側に、ルーバー４４を配置している。ルーバー４４の表面（室内側から見える面）は黒色となっている。
【００５３】
ルーバー４４よりも風路５の下流側には、空気の流れる順番に、捕集体９、本体パネル４３、羽根２２を配置している。
【００５４】
捕集体９は樹脂や金属からなる枠体４５で保持されている。枠体４５は、取り外し可能にして、本体パネル４３に固定されている。
【００５５】
捕集体９は黒色の樹脂の繊維から形成されている。樹脂繊維の素材には、ポリエチレン、ポリプロピレン、ポリエステル等を用いることができる。捕集体９を形成する繊維は、その内部または表面にピレスロイド系殺虫剤成分を含有または担持している。
【００５６】
ルーバー４４は、外周部４６と開口部４７と取付部４９を有している。外周部４６は、捕虫器４１の前面において、外側を覆う部分である。開口部４７は、外周部４６に保持された中央の部分である。開口部４７は格子４８によって遮られている。取付部４９は捕虫器４１にルーバー４４を取り付けるための部分である。
【００５７】
本体パネル４３には、取付受け部５０が備えられている。ルーバー４４は、取付部４９が、取付受け部５０に接続されることで固定される。
【００５８】
格子４８も黒色となっている。羽根２２、ルーバー４４の前面、格子４８の黒色は、例えばマンセル表色系で規定される明度が１〜３の色が好ましい。このように、捕虫器４１の羽根２２、ルーバー４４の表面、捕集体９が黒色で構成されていることから、排気流が流入する開口部４７全体が黒色となり、黒い物体をめがけて飛行する蚊を開口部４７まで誘導することができる。
【００５９】
回収箱３２は、上側を開口した箱状の部品であり、捕虫器４１の筐体２において下部に位置し、捕集体９の前面から鉛直下方向に落下した物体を受け止めることのできる位置に設置されている。
【００６０】
上記構成により、捕集体９で捕獲された飛翔性昆虫は、殺虫成分を嫌がり飛翔しようとする。飛翔性昆虫は、殺虫成分に触れて衰弱していることに加えて、送風装置６の排気流の影響を受けるため、ネットから飛び立つことができず、やがて回収箱３２内に落下する。
【００６１】
このように捕集体９に捕集された飛翔性昆虫は、重力によって落下し、回収箱３２へと集められるために、捕集体９に捕集された飛翔性昆虫の死骸を都度清掃する必要がなく、メンテナンス性に優れた捕虫器を提供することができる。
【００６２】
（第５の実施形態）
図４、図５において、捕虫器４１は、ルーバー４４の外周部４６を淡色に着色しており、格子４８を黒色に着色している。外周部４６の色は、格子４８の色に対してマンセル表色系で規定される明度を６以上大きくしている。
【００６３】
上記構成により、捕虫器４１付近を飛行する蚊は、淡色の外周部４６よりも黒色の格子４８および捕虫器４１の内部に止まろうとする。そこで、蚊は、格子４８および捕虫器４１の内部に近づくと、開口部４７で排気流に吸引され、捕集体９上に捕集される。
【００６４】
つまり、室内に濃色の物体が多い場合でも、外周部４６の淡色に対して格子４８および捕虫器４１の内部は、蚊にとって視認性の高い配色となり、開口部４７付近まで蚊を誘引することができる。これにより、蚊を捕集体９上に捕集することが容易にできる。
【００６５】
（第６の実施形態）
本実施形態では、ガス状物質発生部５２を備えた実施形態について説明する。本実施の形態の捕虫器５１を図６に示す。なお、第１の実施形態から第５の実施形態と同じ構成要件には同一番号を付し、詳細な説明は省略する。
【００６６】
第４の実施形態、第５の実施形態と同様に、本実施形態の捕虫器５１は、部屋の壁面を貫通して取り付けられている。吸込口３は部屋の室内側に、排出口４は室外側に配置されている。筐体２に内蔵した送風ファン２３は、捕虫器５１の運転時に室内側から室外側へと向かう空気流を発生するものである。
【００６７】
図６に示すように、捕虫器５１は、筐体２の上部にガス状物質発生部５２を備えている。ガス状物質発生部５２は飛翔性昆虫を誘引するガス状物質を発生させるものである。ガス状物質発生部５２は、ガスボンベ５３と、配管５４と、噴出口５５とを備えている。配管５４は、ガスボンベ５３から室内へガス状物質を導く流路である。噴出口５５は、配管５４の端部に形成した開口であって、筐体２の前面に配置している。
【００６８】
上記構成において、捕虫器５１を運転すると、送風ファン２３の動作により、室内側から室外側へ向かう気流が発生する。また、ガス状物質発生部５２のガスボンベ５３から室内側へ、飛翔性昆虫を誘引するガス状物質が供給される。ガス状物質は配管５４を通り、噴出口５５から放出される。
【００６９】
ガス状物質が室内側に拡散することで、誘引ガスの濃度勾配を検知した室内の飛翔性昆虫が捕虫器１付近に誘引される。捕虫器５１に近付いた飛翔性昆虫は、黒色に着色された捕集体９及び羽根２２の回転する動きに誘引されて、さらに吸込口３に接近する。吸込口３では、室内側から室外側へ向かう気流が発生しているので、飛翔性昆虫は吸込まれて、捕集体９上に捕集される。
【００７０】
なお、発生させたガス状物質は、室内のガス濃度を上昇させることになるが、本実施の形態では、送風ファン２３による排気を行っているため、ガス濃度の上昇を一定値に抑えることが可能である。
【００７１】
また、本実施形態では、ガス状物質発生部５２で発生させるガス状物質を、二酸化炭素を含むものとした。吸血要求欲求が高い蚊に対する誘引物質として二酸化炭素以外の化合物も知られている。そのなかで二酸化炭素は最も拡散性の高い物質であり、室内全体に亘って誘引効果を発揮することができる。
【００７２】
二酸化炭素の発生量や発生のタイミングとしては、捕集したい飛翔性昆虫の生態などを考慮して設定すればよい。一般的な吸血性を有する蚊の場合、好ましい発生量は、間欠発生時の休止時間も含めて、１０ｍＬ／ｍｉｎ〜５００ｍＬ／ｍｉｎである。さらに好ましい発生量は、１００ｍＬ／ｍｉｎ〜５００ｍＬ／ｍｉｎである。
【００７３】
例えば、３０ｍ３の室内で１００ｍＬ／ｍｉｎの発生量で二酸化炭素を発生させ、同時に３００ｍ３／ｈの風量で排気を行った場合、室内全体の二酸化炭素濃度上昇を１５ｐｐｍ程度に抑えながら、捕虫器１近傍の二酸化炭素濃度を局所的に上昇させることができ、捕虫器５１付近への蚊の誘引量を増やすことが可能である。
【００７４】
また、捕虫器５１はガス状物質の放出と停止を交互に行うことも可能である。誘引ガスは常に一定量発生させた場合よりも、ヒトの呼吸のように発生量に変化をつけ場合に、蚊の誘引作用が向上することが知られている。したがって、放出と停止を交互に行うことは、同量のガス状物質を連続して放出する場合に比べて、高い効果で蚊を誘引することができる。
【００７５】
尚、本実施形態では、発生させるガス状物質を二酸化炭素としたが、これに限定されるものではない。飛翔性昆虫の生態や特性に合わせて、誘引する効果の高いガス状物質を選定すればよい。例えば、ガス状物質には、乳酸、アンモニア、オクテノール等の、蚊を誘引するのに一定の効果があるとされている成分を加えてもよい。
【００７６】
また、本実施形態では、ガス状物質発生部５２の構成を特に限定するものではない。安全に必要な量のガス状物質を発生させることができる構成であれば、効果に差異はない。例えば、誘引成分を高圧ガスと共に充てんしたガスボンベを備える構成や、光触媒と接触した有機物に紫外（ＵＶ）光を照射することにより、前記有機物を分解し、ガス状物質を発生させる構成としてもよい。
【００７７】
（第７の実施形態）
本実施形態では、第６の実施形態の捕虫器に対して、別の形態について詳細に説明する。
【００７８】
図７および図８は本実施形態における捕虫器の図である。図７は捕虫器を示す側面断面図、図８は捕虫器を住宅に設置した際の概略図である。なお、実施の形態１から６と同一の構成要件には同一符号を付し、その詳細な説明は省略する。
【００７９】
図７に示すように、捕虫器６１は、蚊を誘引するガス状物質を発生させるガス状物質発生部６２を備えている。本実施形態のガス状物質発生部６２には、ガス状物質を室内へ供給する手段として、配管５４と電磁弁６３とガスボンベ６４とを備えている。図８に示すように、ガスボンベ６４は住宅の屋外へ設置されている。ガスボンベ６４には配管５４が接続されている。ガスボンベ６４を住宅の屋外へ設置したことにより、実施の形態６のガスボンベ５３に比べて容量の大きなものを備えることができる。配管５４によって、ガスボンベ６４内のガス状物質が室内側へ導かれている。配管５４には、電磁弁６３を介在させている。配管５４の室内側に位置する末端は噴出口５５となっている。本実施形態では、ガスボンベ６４から供給するガス状物質に二酸化炭素が含まれることを考慮して、噴出口５５は、筐体２の下方に配置している。
【００８０】
上記構成において、捕虫器６１を運転すると、回転モーター７および羽根２２の動作により、室内側から室外側へ向かう気流が発生し、室内の空気が排気される。また、電磁弁６３を開けると、噴出口５５から室内側へ蚊を誘引するガス状物質が放出される。ガス状物質が室内側に拡散することで、ガス状物質に濃度勾配ができる。この濃度勾配を検知した蚊が捕虫器６１付近に誘引される。捕虫器６１付近に近付いた蚊は、黒色に着色された捕集体９に接近する。捕集体９の前面側には室内側から室外側へ向かう気流が発生しているので、蚊は、捕虫器６１内へ向けて吸込まれ、捕集体９上に捕集される。
【００８１】
また、発生させたガス状物質は、室内のガス濃度を上昇させることになるが、第６の実施の形態と同様に、捕虫器６１による排気を常に行っているため、ガス濃度の上昇を一定値に抑えることが可能である。
【００８２】
また、本実施の形態では、ガス状物質発生部６２で発生させるガス状物質を、二酸化炭素を含むものとした。蚊の誘引物質として知られる化合物のうち、二酸化炭素は最も拡散性の高い物質であるので、室内全体に亘って蚊の誘引効果を発揮することができる。特に、噴出口５５を筐体２の下方に配置しているので、空気よりも重い二酸化炭素が室内の壁を伝わって下方に移動する過程で、送風ファン２３によって筐体２内へ吸い込まれることなく、室内全体へ拡散し易くなる。
【００８３】
また、本実施の形態では、ガス状物質の放出と停止を交互に行うことも可能である。誘引ガスを常に一定量発生させた場合に比べて、ヒトの呼吸のように発生量に変化をつけて発生させた場合に、蚊の誘引作用が向上することが知られている。したがって、放出と停止を交互に行うことは、同量のガス状物質を連続して放出場合に比べて、高い効果で蚊を誘引することができる。
【００８４】
ガス状物質の放出と停止を交互に行う運転方法において、ガス状物質を間欠的に発生させる構成としては、例えば電磁弁６３に加えてタイマー（図示せず）を備えればよい。タイマー制御により電磁弁６３の開放と閉鎖を交互に繰り返すことにより、実施することができる。
【００８５】
以上のように、捕虫器は、吸込口と排出口とを有した筐体を備えている。また、筐体内には、風路と回転体と送風装置とを備えている。吸込口は、室内の気体を筐体内に導入するものである。排出口は、筐体内に流入した気体を筐体外へ排出するものである。風路は、吸込口から排出口へ気体が流すものである。送風装置は、風路内に吸込口から排出口へ向かう気流を発生させるものである。回転体は、回転モーターの軸に取り付けられている。風路内で、回転体は、回転モーターの回転と連動して回転することができる。また、吸込口には捕集体が備えてあり、捕集体は回転体の上流側に配置されている。捕集体は、回転体の動きが視認できる透過性を有しているので、回転体は、吸気口の外側から少なくとも一部が視認できる。また、捕集体は、飛来した飛翔性昆虫を捕捉する捕集性を有している。回転体と捕集体の色の明度は、少なくとも一方が５以下である。
【００８６】
これにより、明度が５以下の回転体または捕集体が暗い物体に止まる性質を持つ蚊などの飛翔性昆虫を捕虫器まで誘引することができる。更に、回転体の動きが、特に動物への吸血要求欲求が高い蚊などの飛翔昆虫を高い効果で誘引することができる。そして、吸込口から排出口へ流れる気流と共に、回転体に接近した飛翔性昆虫を吸引することができるので、捕集体で飛翔性昆虫を捕集することができる。
【００８７】
また、捕虫器は、回転体がプロペラ形状であり、送風装置の羽根を兼ねたものとしてよい。
【００８８】
これにより、回転体と送風装置の羽根を別々に設ける必要がなくなるので、コンパクトな捕虫器を提供することができる。また、羽根とは別体として回転体を配置した場合に比べて、回転体の空気抵抗が少なくなり、送風装置はスムーズに風を流すことができるため、誘引した飛翔性昆虫を高い効率で捕集することができる。
【００８９】
また、捕虫器は、捕集体の上流側における風速が１ｍ／秒以上とすれば好ましい。
【００９０】
これにより、捕虫器に誘引された飛翔性昆虫は、風の流れに逆らえずに捕集体に捕集されやすくなる。更に、捕集体に捕集された飛翔性昆虫は、捕集体から逃れようと再度飛翔しても、送風装置が発生する排気流の影響を受けて捕虫器外へと逃げることができなくなる。すなわち、送風装置が発生する排気流によって、飛翔性昆虫が再び室内へ飛翔することを抑制することができる。
【００９１】
また、捕虫器は、捕集体に殺虫成分を含有または担持してもよい。
【００９２】
これにより、捕集体上に捕集された飛翔性昆虫が再度飛翔しようとしても、殺虫成分により衰弱して逃げることができず、捕集した飛翔性昆虫が再び室内へ飛翔することが抑制される。
【００９３】
また、捕虫器は、捕集体が略垂直に配置され、捕集体の下方に回収部を備えたものとしてもよい。
【００９４】
これにより、捕集体に捕集された飛翔性昆虫は、重力によって落下し、回収箱へと集められる。捕集体に捕集された飛翔性昆虫の死骸を都度清掃する必要がなく、メンテナンス性に優れた捕虫器を提供することができる。
【００９５】
また、捕虫器は、吸込口近傍に飛翔性昆虫を誘引するガス状物質を発生させるガス状物質発生部を備えたものとしてもよい。
【００９６】
明度の低い捕集体や回転体は、主に飛行中の飛翔性昆虫を誘引することができる。また、誘引性のあるガス状物質は、室内の壁面や床に止まっている蚊をガスの濃度の高い方向へと誘引することができる。ガス状物質を用いて止まっている蚊を飛び立たせた上で、回転体によって、捕虫器へと誘引させるという連携的な効果を発揮することができる。さらに、ガス状物質は室内に拡散して、濃度勾配を形成するため、捕虫器から離れた場所であっても、捕虫器付近まで飛翔性昆虫をおびき寄せることができる。
【００９７】
また、請求項７に係る捕虫器は、ガス状物質発生部が電磁弁を備え、ガス状物質を間欠的に発生させるものとしてもよい。
【００９８】
生物の呼吸が断続的なものであることから、ガス状物質を間欠的に発生させることで、特に動物への吸血要求欲求が高い蚊などの飛翔昆虫を高い効果で誘引することができる。ガス状物質を間欠的に発生させることは、連続発生の場合よりも高い確率で蚊を誘引し捕集することができる。
【産業上の利用可能性】
【００９９】
伝染病を媒介する蚊などの飛翔昆虫を除去する捕虫器として有用である。
【符号の説明】
【０１００】
１    捕虫器
２、１０３    筐体
３、１０１、２０１    吸込口
４    排出口
５    風路
６    送風装置
７    回転モーター
８    回転体
９    捕集体
１４    捕虫面
２１    捕虫器
２２    羽根
２３、１０４    送風ファン
３１    捕虫器
３２    回収箱
４１    捕虫器
４３    本体パネル
４４    ルーバー
４５    枠体
４６    外周部
４７    開口部
４８    格子
４９    取付部
５０    取付受け部
５１    捕虫器
５２    ガス状物質発生部
５３    ガスボンベ
５４    配管
５５    噴出口
６１    捕虫器
６２    ガス状物質発生部
６３    電磁弁
６４    ガスボンベ
【図１】
2020021892.tif 000003
【図２】
2020021892.tif 000004
【図３】
2020021892.tif 000005
【図４】
2020021892.tif 000006
【図５】
2020021892.tif 000007
【図６】
2020021892.tif 000008
【図７】
2020021892.tif 000009
【図８】
2020021892.tif 000010
【図９】
2020021892.tif 000011
【図１０】
2020021892.tif 000012
【国際調査報告】
2020021892.tif 000013
2020021892.tif 000014
2020021892.tif 000015
2020021892.tif 000016